(57)【要約】　　　（修正有）【課題】開閉時に振動や異音のない、細くてコンパクトな、外観的にも優れた自動傘を提供する。【解決手段】中心軸１と、当該中心軸１の頂部に形成された上部ノッチ２０に回動可能に取付けられたトップリブ２１、当該トップリブ２１及び中間ランナ２３に回動可能に取付けられたストレッチリブ２２、前記中間ランナ２３の下部に一体に形成されかつ前記中心軸１に摺動可能に保持された下部ランナ２４を有するリブ組立体２とを有し、前記各ストレッチリブ２２は、その溝２２１内に、コンパクトと装飾的効果のために開きバネ３を保持すると共にその外部に開きバネ３の外端部３１が取付けられ、開きバネ３の内端部３２は、ストレッチリブ２２の溝２２１内に摺動可能に保持されたスライダブロック３３に固着され、このスライダブロック３３と下部ランナ２４との間にはフック部材２５が設けられていることを特徴とする【選択図】　　　　　　図１
0003097788.tif 000002
【実用新案登録請求の範囲】
【請求項１】
中心軸と、当該中心軸に回動可能に取付けられたリブ組立体と、該リブ組立体に弾性的に設けられた複数の開きバネと、を有し、前記各開きバネを前記リブ組立体のリブに凹設された溝内で保持し、閉傘時の前記リブ組立体の折り畳みにより前記開きバネが引っ張られて弾性を蓄え、前記リブ組立体を広げると、前記開きバネの弾性が解放され、傘が自動的にスムーズに開かれる、リブ組立体内に開きバネ有する自動傘。
【請求項２】
前記各開きバネは、前記中心軸に摺動可能に保持されたランナと、前記中心軸の頂部に形成された上部ノッチに回動可能に設けられたトップリブと、の間に回動可能に取付けられたストレッチリブに凹設された溝内に弾性的に保持された請求項１に記載のリブ組立体内に開きバネ有する自動傘。
【請求項３】
前記開きバネは、外端部が前記ストレッチリブの外側部分に取付けられ、内端部が前記ストレッチリブに回動可能に取付けられた中間ランナの下部に一体的に形成された下部ランナに弾性的に連結されたことを特徴とする請求項２に記載のリブ組立体内に開きバネ有する自動傘。
【請求項４】
前記開きバネは、内端部がストレッチリブに凹設された溝内に摺動可能に保持されたスライダブロックに取付けられ、当該スライダブロックが前記下部ランナに回動可能に取付けられたフック部材と連結されたことを特徴とする請求項３に記載のリブ組立体内に開きバネ有する自動傘。
【請求項５】
前記中心軸は、前記上部ノッチに隣接した前記中心軸の軸部分を被覆しかつ弾性材料から作られた緩衝スリーブを有する請求項２に記載のリブ組立体内に開きバネ有する自動傘。
【請求項６】
前記フック部材は、前記スライダブロックに形成された凹部に連結されたＵ字状のフック外端部を有する請求項４に記載の自動傘。
【請求項７】
前記中心軸は、前記リブ組立体を折り畳む閉傘時に、前記リブ組立体のランナをロックするように前記中心軸の下部に形成されたロック装置を有する請求項１に記載のリブ組立体内に開きバネ有する自動傘。
【請求項８】
前記ロック装置は、閉傘時に前記ランナに切欠かれたスロットと係合するように前記軸に弾性的に保持されたラッチと、開傘時に前記ラッチから前記スロットを解放するように前記ラッチに一体的に形成された押しボタンと、を有する請求項７に記載のリブ組立体内に開きバネ有する自動傘。
【請求項９】
前記ロック装置は、閉傘時に前記ランナのスロットに係合するように前記軸の下部に形成された下部スリーブに保持されたバネによって弾性的に付勢されたラッチと、前記ラッチと一体的に形成されかつ開傘時に前記ラッチからランナのスロットを外すように押圧される前記下部スリーブ摺動可能に保持された押しボタンと、を有する請求項７に記載のリブ組立体内に開きバネ有する自動傘。
【考案の詳細な説明】
【０００１】
【考案の属する技術分野】
本考案は、リブ組立体内に開きバネ有する自動傘に関する。
【０００２】
【従来の技術】
図８に示すように、従来の自動傘は、中心軸１と、リブ組立体２と、開きバネ３とを有している。前記リブ組立体２は、当該中心軸１の頂部に形成された上部ノッチ２０に回動可能に取付けられたトップリブ２１と、当該トップリブ２１に一端が連結され、他端が中間ランナ２３に回動可能に取付けられたストレッチリブ２２と、前記中心軸１に摺動可能に保持された下部ランナ２４と、前記ストレッチリブ２２に一端が連結され他端が前記下部ランナ２４に係止されたリンク２５とを有し、前記開きバネ３が、前記中間ランナ２３と下部ランナ２４との間で弾性的に保持されている。そして、この自動傘は、中心軸１の下部に弾性的に設けられたラッチ１１からスロット２４１を外し、下部ランナ２４をアンロックすることにより、開きバネ３が中間ランナ２３を上方付勢し、リブ組立体２を広げ、開傘する。
【０００３】
【考案の解決しようとする課題】
しかし、従来のこのような自動傘は、以下の不利益を有する。
【０００４】
１．開傘時に、バネ３は、常に引張り力のみをランナ２３，２４に作用させてバネ力Ｆを直接に上方へ働かせ、上部ノッチ２０と中間ランナ２３との間に保持された管３０に衝突し、大きな反力を生じさせることになる。この結果、振動や異音を引き起こす。
【０００５】
２．中間及び下部ランナ２３，２４の間に保持された唯一の開きバネ３は、非常に短く、開傘時に十分なバネ力を発揮するには、バネ直径をかなり大きくしなければならず、また、前記ランナ２３，２４も大きなバネ直径に対応するように大径のものとしなければならない。この結果、細くてコンパクトな自動傘を作ることが難しくなる。
【０００６】
３．大径のバネ３は、目立ち、傘の装飾的な外観に影響する。
【０００７】
このような従来の自動傘の不利益に着目し、本件の考案者は、リブ組立体内に開きバネを設けた自動傘を考案するに至ったのである。したがって、本考案の主たる目的は、開閉時に振動や異音のない、細くてコンパクトな、外観的にも優れた自動傘を提供することにある。
【０００８】
【課題を解決するための手段】
上記目的を達成するための、本考案による自動傘は、中心軸と、当該中心軸の頂部に形成された上部ノッチに回動可能に取付けられたトップリブ、当該トップリブ及び中間ランナに回動可能に取付けられたストレッチリブ、前記中間ランナの下部に一体に形成されかつ前記中心軸に摺動可能に保持された下部ランナを有するリブ組立体とを有し、前記各ストレッチリブは、その溝内に、コンパクトと装飾的効果のために開きバネを保持すると共にその外部に開きバネの外端部が取付けられ、開きバネの内端部は、ストレッチリブの溝内に摺動可能に保持されたスライダブロックに固着され、このスライダブロックと下部ランナとの間にはフック部材が設けられ、これにより傘を折り畳むときは、ランナの下降動作によりリブ組立体のストレッチリブに保持された開きバネを引っ張り、開きバネのバネ力を蓄積し、ランナのアンロックにより開きバネに蓄積されたバネ力を解放すると、開きバネがランナを上方に付勢し、リブ組立体を広げ、スムーズに開傘するようにしたことを特徴とする。
【０００９】
【考案の実施の形態】
以下、本考案の実施形態を図面により説明する。
【００１０】
図１は本考案の開かれた傘を示す図、図２は図１の２‐２線から見たフック部材の図、図３は図１から折り畳み状態の傘を示す図、図４は図３で示す本考案の下部ランナとラッチの部分断面図である。
【００１１】
図１〜４に示すように、本実施形態の自動傘は、中心軸１と、当該中心軸１に回動可能に取付けられたリブ組立体２と、当該リブ組立体２の各ストレッチリブ２２に形成された溝２２１内に弾性的に保持された複数の開きバネ３と、を有している。
【００１２】
前記リブ組立体２は、前記中心軸１の頂部に設けられた上部ノッチ２０に回動可能に取付けられたトップリブ２１と、中心軸１に摺動可能に保持された中間ランナ２３と前記トップリブ２１の中央部との間に連結するように取付けられたストレッチリブ２２と、中間ランナ２３の下部に一体的に形成されかつ中心軸１に摺動可能に保持された下部ランナ２４と、内端が下部ランナ２４に回動可能に取付けられ、外端が各ストレッチリブ２２に弾性的に設けられた開きバネ３に係止されたフック部材２５と、を有している。
【００１３】
各開きバネ３は、ストレッチリブ２２の外側部分に取付けられた外端部３１と、ストレッチリブ２２に凹設された溝２２１内に摺動可能に保持されたスライダブロック３３に取付けられた内端部３２とを有するコイルバネであり、ストレッチリブ２２の溝２２１内に弾性的に保持されている。
【００１４】
また、前記フック部材２５は、図２に示すように、一端がスライダブロック３３に係止され、他端の折曲部分が下部ランナ２４に係止されている。つまり、フック部材２５は、外端部２５１がＵ字状に曲げられ、スライダブロック３３に形成された凹部３３１に係止され、内端部２５２がＵ字状又はループ状の端部とされ、下部ランナ２４に回動可能に係止されている。
【００１５】
このフック部材２５は、ランナ２４のねじれ変位を防止し、これにより閉傘時に、ランナのスロット２４１でのラッチ１１の係合を信頼性が高い、確実なものにする。
【００１６】
前記各ストレッチリブ２２は、開傘時に、中心軸１の頂部に設けられた上部ノッチ２０に近い中心軸１の軸部分とストレッチリブ２２との間が略９０°の鋭角Ａとなるようにしている。
【００１７】
ここに、各開きバネ３の上方への引張り力ｆ’は、次式で表すことができる。
【００１８】
ｆ’＝ｆ・ｃｏｓＡ
ここに、ｆは、本考案の開傘時に、リブ組立体２に作用する各開きバネ３のバネ力である。
【００１９】
鋭角Ａは略９０°（直角）であるため、鋭角Ａのコサイン値は、非常に小さく、各開きバネ３のバネ力ｆの上方分力である引張り力ｆ’は非常に小さくなる。したがって、上部ノッチ２０又は中心軸１に「ぶつかる」前記上向き衝突力は、大きな反力にならず、振動又はノイズを引き起こすこともない。つまり、人間工学的に非常に軽くかつ信頼性が高い自動傘が本考案によって得られることになる。
【００２０】
さらに、上部ノッチ２０に隣接した中心軸１の軸部分を、ゴム又は弾性材から作られた緩衝スリーブ４で被覆し、開きバネ３によって上方に付勢されたとき、ランナ２３，２４の衝突力を減らす緩衝器としても良い。また、緩衝スリーブ４は、図１，３に示す弾性材料のベローズようなもので形成してもよい。
【００２１】
図１の状態から図３の状態になるように、本考案の傘を閉じて折り畳むとき、ランナ２４は、下方へ引かれ、リブ組立体２を縮めるが、この場合、開きバネ３は、次に開くときの準備として弾性又はバネエネルギを蓄えることになる。この閉傘時の下部ランナ２４は、中心軸１に弾性的に設けられたラッチ１１等のロック装置Ｒによってロックされる。
【００２２】
このロック装置Ｒでは、前記ラッチ１１に押しボタン１２が一体的に形成されているが（図４参照）、閉傘時には、通常弾性的に中心軸１から外方に突出されているラッチ１１が、下部ランナ２４に切り欠かれているスロット２４１に係合し、傘の折り畳み状態で、ランナ２４を安定的にロックする。そして、押しボタン１２を押圧すると、ラッチ１１からスロット２４１が外れ、開きバネ３がランナ２４，２３を上方に付勢し、リブ組立体２が広がり、傘が開く。
【００２３】
本考案は、本考案の趣旨及び範囲から逸脱することなく、種々改変できる。例えば、前記トップリブ２１は、その外端部２１１に、中心軸１に向かって内方に僅かに曲げられた保護管２１２を設け、これによりスリムに折り畳まれた傘構造としてもよい（図１参照）。
【００２４】
図５は本考案の他の好適な傘の開かれた傘を示す図、図６は図５から折り畳まれた傘を示す図、図７は図６で示す本考案の下部ランナとラッチの部分断面図である。
【００２５】
図５〜７に示すように、ラッチ１１の部分を改良しても良い。つまり、ラッチ１１を中心軸の下部に形成された下部スリーブ１０内に小型バネ１３を保持し、この小型バネ１３によってラッチ１１を弾性的に付勢するように改良してもよい。また、傘を閉じるか折り畳むときに、下部ランナ２４に切り欠かれたスロット２４１に係合し、ランナ２４をロックしても良い。さらに、押しボタン１２をラッチ１１と一体的に形成しかつ下部スリーブ１０内で摺動可能に保持しても良い。これにより下部ランナ２４内で切り欠かれたスロット２４１からラッチ１１を外す押しボタン１２の押圧により、開きバネ３がランナ２４，２３を上方へ付勢し、リブ組立体２が広がり、開傘できるようになる。
【００２６】
さらに、本考案は、好適な実施の形態で記載されているが、当業者によってさまざまなバリエーションの変更を加えることもできる。
【００２７】
【考案の効果】
本考案に係る自動傘は、従来の自動傘より次の利点を有している。
【００２８】
１．　全ての開きバネ３は、ストレッチリブ２２内に「隠されており」、自動傘の装飾を豊かにするために、目立って見えるように「露出」していない。
【００２９】
２．　開きバネ３は、中心軸１ではなく、リブ組立体２内に保持され、上部ノッチ２０に直接衝撃を加える上方への力が、最小にされ、傘の寿命を長くし、人間工学的な傘の使用となる。
【００３０】
３．　開きバネ３は、ランナに保持されていないので、ランナ２３，２４は、その分細く形成でき、操作性及び使用性の良い、コンパクトな傘となる。
【００３１】
４．　フック部材２５によりランナ２４は、捩られることなく正確に垂直に案内され、傘を折り畳むときは常に、ランナのスロット２４１がラッチ１１と確実に係合することになる。
【図面の簡単な説明】
【図１】本考案の開かれた傘を示す図である。
【図２】図１の２‐２線から見たフック部材の図である。
【図３】図１から折り畳まれた傘を示す図である。
【図４】図３で示す本考案の下部ランナとラッチの部分断面図である。
【図５】本考案の他の好適な傘の開かれた傘を示す図である。
【図６】図５から折り畳まれた傘を示す図である。
【図７】図６で示す本考案の下部ランナとラッチの部分断面図である。
【図８】開かれた従来の自動傘を示す図である。
【符号の説明】
１…中心軸、
１１…ラッチ、
１２…押しボタン、
２…リブ組立体、
２０…上部ノッチ、
２１…トップリブ、
２２…ストレッチリブ、
２２１…溝、
２３…中間ランナ、
２４…下部ランナ、
２４１…スロット、
２５…フック部材、
２５１…Ｕ字形のフック外端部、
３…開きバネ、
３１…外端部、
３１１…凹部、
３２…内端部、
３３…スライダブロック、
４…緩衝スリーブ、
Ｒ…ロック装置。
【図１】
0003097788.tif 000003
【図２】
0003097788.tif 000004
【図３】
0003097788.tif 000005
【図４】
0003097788.tif 000006
【図５】
0003097788.tif 000007
【図６】
0003097788.tif 000008
【図７】
0003097788.tif 000009
【図８】
0003097788.tif 000010